(57)【特許請求の範囲】
【請求項１】
機器本体の上面を覆うトッププレートと、前記トッププレートに配置された加熱部と、この加熱部における加熱の開始および停止を指令する加熱発停指令部と、前記加熱部の加熱力が、複数の加熱力の段階のうち、所定の段階となるように加熱力の増減を指令する加熱力指令部と、前記加熱部の加熱力を表示する加熱力表示部と、前記加熱部における加熱の開始と停止および前記加熱力の増減を制御する制御部と、を備えた加熱調理器であって、
前記加熱力指令部が、前記トッププレート上に配置される加熱力調節用タッチスイッチを用いて形成され、
前記加熱力表示部が、前記加熱力調節用タッチスイッチの周辺に配置され、前記複数の段階に設定された加熱力に対応する複数の表示体を備えており、
前記制御部が、使用者が前記加熱力調節用タッチスイッチにタッチした点を始点として、該始点から前記複数の表示体のうちの一の表示体に向かうフリック操作によって、前記加熱部の加熱力を、前記一の表示体により表示される段階の加熱力となるように増減するように構成されていること
を特徴とする加熱調理器。
【請求項２】
前記加熱力調節用タッチスイッチにタッチした時点を起点として、所定の時間以内に、タッチした点を始点として、該始点から前記複数の表示体のうちのいずれの表示体に向かうフリック操作も検出されなかったときには、前記制御部が、前記加熱部の加熱力を前記起点における加熱力に維持するように構成されていることを特徴とする請求項１記載の加熱調理器。
【請求項３】
前記加熱力調節用タッチスイッチにタッチした時点を起点として、所定の時間以内に、タッチした点を始点として、該始点から前記複数の表示体のうちのいずれの表示体に向かうフリック操作も検出されなかったときには、前記制御部が、前記加熱部の加熱力を前記起点における加熱力より少ない加熱力に減少させるように構成されていることを特徴とする請求項１記載の加熱調理器。
【請求項４】
前記加熱発停指令部が、前記加熱力調節用タッチスイッチの周辺に配置される発停指令用タッチスイッチを備えており、
前記加熱部における加熱の開始後、前記加熱力調節用タッチスイッチにタッチした点を始点として、該始点から前記発停指令用タッチスイッチに向かうフリック操作が行われた場合に、前記制御部が、前記加熱部における加熱を停止するように構成されていることを特徴とする請求項１〜３のいずれかに記載の加熱調理器。
【請求項５】
前記加熱発停指令部が、前記加熱力調節用タッチスイッチの周辺に配置される発停指令用タッチスイッチを備えており、
前記発停指令用タッチスイッチにタッチした点を始点として、該始点から特定のパターンの軌跡を伴うフリック操作が行われた場合に、前記制御部が、前記加熱部における加熱を開始または停止させるように構成されていることを特徴とする請求項１〜４のいずれかに記載の加熱調理器。
【発明の詳細な説明】
【技術分野】
【０００１】
本発明は、加熱調理容器に関し、詳しくは、加熱調理器において、使用者が加熱力を調節する際の、加熱力調節操作を容易にするための技術に関する。
【背景技術】
【０００２】
加熱調理器には、加熱力調節を行うための機構を備えている。そのような加熱調理器の一つに、特許文献１に示されているように、静電容量式のタッチスイッチを天板に設けて加熱力調節を行うことができるようにしたコンロ（加熱調理器）がある。
【０００３】
そして、この特許文献１のコンロは、加熱力増加用のスイッチと加熱力減少用の、静電容量式のタッチスイッチとを備え、加熱力増加用のスイッチあるいは加熱力減少用のスイッチに触れるだけで加熱力を変更することが可能で、加熱力変更に要する操作力が小さく、操作性に優れているという特徴を有している。
【先行技術文献】
【特許文献】
【０００４】
【特許文献１】特開２００５−３３１１１６号公報
【発明の概要】
【発明が解決しようとする課題】
【０００５】
しかしながら、特許文献１のコンロの場合、変更前の加熱力と変更後の加熱力との差（段数差）が大きい場合、使用者は目的とする加熱力に設定するまで、スイッチを何回も操作する必要があり、操作回数が多くなって、使用者に煩わしさを感じさせてしまうという問題点がある。
【０００６】
また、加熱力増加用のスイッチと、加熱力減少用のスイッチとを各個別に設けることが必要になる。ところが、加熱力増加用のスイッチの操作と、加熱力減少用のスイッチの操作とを接近させて配置した場合、加熱力増加用のスイッチと加熱力減少用のスイッチを間違えて操作してしまう蓋然性が高くなる。
【０００７】
そのため、加熱力増加用のスイッチと、加熱力減少用のスイッチとを、間違えて操作してしまわない程度に、加熱力増加用のスイッチと加熱力減少用のスイッチを離間して配置する必要があるが、その場合には、加熱力増加用のスイッチと加熱力減少用のスイッチを配置するために必要なスペースが大きくなり、コンロの大型化を招くという問題点がある。
【０００８】
また、加熱力増加用のスイッチと加熱力減少用のスイッチを間違えて操作しない程度に離間して配置した場合、例えば、加熱力を増加した直後に加熱力を減少させる加熱力調節を行うことが必要になったときに、離間して配置されたスイッチ間で指を移動させる必要があるため、煩わしさを伴うことになる。
【０００９】
本発明は、上記課題を解決するものであり、加熱力増加用のスイッチと加熱力減少用のスイッチとを各個別に必要とせず、変更前の加熱力と変更後の加熱力との差（段数差）が大きい場合にも、少ない操作回数で意図する加熱力に設定することが可能な、使い勝手に優れた加熱調理容器を提供することを目的とする。
【課題を解決するための手段】
【００１０】
上記課題を解決するため、本発明の加熱調理器は、
機器本体の上面を覆うトッププレートと、前記トッププレートに配置された加熱部と、この加熱部における加熱の開始および停止を指令する加熱発停指令部と、前記加熱部の加熱力が、複数の加熱力の段階のうち、所定の段階となるように加熱力の増減を指令する加熱力指令部と、前記加熱部の加熱力を表示する加熱力表示部と、前記加熱部における加熱の開始と停止および前記加熱力の増減を制御する制御部と、を備えた加熱調理器であって、
前記加熱力指令部が、前記トッププレート上に配置される加熱力調節用タッチスイッチを用いて形成され、
前記加熱力表示部が、前記加熱力調節用タッチスイッチの周辺に配置され、前記複数の段階に設定された加熱力に対応する複数の表示体を備えており、
前記制御部が、使用者が前記加熱力調節用タッチスイッチにタッチした点を始点として、該始点から前記複数の表示体のうちの一の表示体に向かうフリック操作によって、前記加熱部の加熱力を、前記一の表示体により表示される段階の加熱力となるように増減するように構成されていること
を特徴としている。
【００１１】
本発明の加熱調理器においては、前記加熱力調節用タッチスイッチにタッチした時点を起点として、所定の時間以内に、タッチした点を始点として、該始点から前記複数の表示体のうちのいずれの表示体に向かうフリック操作も検出されなかったときには、前記制御部が、前記加熱部の加熱力を前記起点における加熱力に維持するように構成されていることが好ましい。
【００１２】
また、前記加熱力調節用タッチスイッチにタッチした時点を起点として、所定の時間以内に、タッチした点を始点として、該始点から前記複数の表示体のうちのいずれの表示体に向かうフリック操作も検出されなかったときには、前記制御部が、前記加熱部の加熱力を前記起点における加熱力より少ない加熱力に減少させるように構成されていることが好ましい。
【００１３】
また、前記加熱発停指令部が、前記加熱力調節用タッチスイッチの周辺に配置される発停指令用タッチスイッチを備えており、
前記加熱部における加熱の開始後、前記加熱力調節用タッチスイッチにタッチした点を始点として、該始点から前記発停指令用タッチスイッチに向かうフリック操作が行われた場合に、前記制御部が、前記加熱部における加熱を停止するように構成されていることが好ましい。
【００１４】
また、前記加熱発停指令部が、前記加熱力調節用タッチスイッチの周辺に配置される発停指令用タッチスイッチを備えており、
前記発停指令用タッチスイッチにタッチした点を始点として、該始点から特定のパターンの軌跡を伴うフリック操作が行われた場合に、前記制御部が、前記加熱部における加熱を開始または停止させるように構成されていることが好ましい。
【発明の効果】
【００１５】
本発明の加熱調理器は、上述のように構成されており、加熱力調節用タッチスイッチにタッチした点を始点として、この始点から複数の表示体のうちの一の表示体に向かうフリック操作によって、加熱部の加熱力を、上記一の表示体により表示される段階の加熱力となるように増減させることができるので、加熱力増加用のスイッチと加熱力減少用のスイッチとをそれぞれ別個に設けることを必要とせずに、変更前の加熱力と変更後の加熱力との差（段数差）が大きい場合にも、少ない操作回数で意図する加熱力に設定することが可能な、使い勝手のよい加熱調理器を実現することが可能になる。例えば、加熱力を増加した直後に、加熱力を減少させる加熱力調節を行う場合の煩わしさを抑制して、使用感を向上させることができる。
また、加熱力増加用のスイッチと加熱力減少用のスイッチの両方を別個に設けることを必要としないことから、加熱力増加用のスイッチと加熱力減少用のスイッチを間違って操作することのない、信頼性の高い加熱調理器を提供することが可能になる。
【００１６】
また、加熱力調節用タッチスイッチにタッチした時点を起点として、所定の時間以内に、タッチした点を始点として、該始点から複数の表示体のうちのいずれの表示体に向かうフリック操作も検出されなかったときには、制御部が、加熱部の加熱力を起点における加熱力に維持するようにした場合、使用者が不用意に加熱力調節用タッチスイッチにタッチした場合にも、使用者が意図しない加熱力の増減を防止することができる。
【００１７】
また、加熱力調節用タッチスイッチにタッチした時点を起点として、所定の時間以内に、タッチした点を始点として、該始点から複数の表示体のうちのいずれの表示体に向かうフリック操作も検出されなかったときには、制御部が、加熱部の加熱力を起点における加熱力より少ない加熱力に減少させるようにした場合には、使用者が不用意に加熱力調節用タッチスイッチにタッチしたときに、加熱力が減少するので安全性を確保することができる。
【００１８】
また、加熱発停指令部が、加熱力調節用タッチスイッチの周辺に配置される発停指令用タッチスイッチを備え、加熱部における加熱の開始後、加熱力調節用タッチスイッチにタッチした点を始点として、該始点から発停指令用タッチスイッチに向かうフリック操作が行われた場合に、制御部が、加熱部における加熱を停止するようにした場合、使用者が、複数種類の操作から加熱部における加熱の停止を行う操作を選択できるので、安全性を損なうことなく、便利性を向上させることができる。
【００１９】
また、加熱発停指令部が、加熱力調節用タッチスイッチの周辺に配置される発停指令用タッチスイッチを備え、発停指令用タッチスイッチにタッチした点を始点として、該始点から特定のパターンの軌跡を伴うフリック操作が行われた場合に、制御部が、加熱部における加熱を開始または停止させるようにした場合、誤操作による加熱部における加熱の開始や停止を防止することが可能になり、利便性を損なうことなく、安全性の高い加熱調理器を提供することができる。
【図面の簡単な説明】
【００２０】
【図１】本発明の一実施形態にかかる加熱調理器（ガスコンロ）の平面図である。
【図２】本発明の一実施形態にかかる加熱調理器に用いられている静電スイッチと加熱力表示部の模式的な断面図である。
【図３】本発明の一実施形態にかかる加熱調理器における加熱発停指令部（発停指令タッチスイッチ）と加熱力指令部（加熱力調節用タッチスイッチ）および加熱力表示部（複数の表示体）周辺の平面図である。
【図４】本発明の一実施形態にかかる加熱調理器における動作を説明する平面図である。
【図５】本発明の一実施形態にかかる加熱調理器における動作を説明する平面図である。
【図６】本発明の一実施形態にかかる加熱調理器における動作を説明する平面図である。
【図７】図１に示した加熱調理器（ガスコンロ）における燃料供給路の説明図である。
【図８】本発明の変形例にかかる加熱調理器における加熱発停指令部（発停指令タッチスイッチ）と加熱力指令部（加熱力調節用タッチスイッチ）および加熱力表示部（複数の表示体）周辺の平面図である
【発明を実施するための形態】
【００２１】
以下に、本発明の実施形態を示して、本発明の特徴とするところをさらに詳しく説明する。
【００２２】
図１は本発明の実施形態にかかる加熱調理器（この実施形態ではガスコンロ（ガステーブルコンロ）Ａの構成を示す平面図である。
【００２３】
この加熱調理器（ガスコンロ）Ａを構成する機器本体５０の上面は、トッププレート５１が配設されている。また、加熱調理器（ガスコンロ）Ａは、コンロバーナ（ガスバーナ）として円筒状の外形を有する左バーナ２０と、右バーナ３０の２つのバーナを備えており、トッププレート５１に形成したバーナ用開口（図示せず）を介して、左バーナ２０と、右バーナ３０のそれぞれの外周に形成された炎孔部２０ａ，３０ａをトッププレート５１の上方に突出させている。なお、上記左バーナ２０と右バーナ３０が本発明における加熱部を構成する。
【００２４】
また、図１に示すように、加熱調理器（ガスコンロ）Ａの、トッププレート５１の上面の、左バーナ２０および右バーナ３０より前方（手前）には、使用者が手動にて左バーナ２０の点消火操作を行うための左バーナ加熱発停指令部としての発停指令タッチスイッチ２１（図３参照）と、使用者が手動にて左バーナ２０の加熱力（火力）の増減（加熱力調節）を行うための左バーナ加熱力指令部を構成する加熱力調整用タッチスイッチ２２（図３参照）と、左バーナ２０の加熱力を表示する加熱力表示部１２０を構成する複数の加熱力表示ランプ（ＬＥＤ）Ｌａ１，Ｌａ２，Ｌａ３，Ｌａ４，Ｌａ５，Ｌａ６，Ｌａ７が配設されているとともに、使用者が手動にて右バーナ３０の点消火操作を行うための右バーナ加熱発停指令部としての発停指令タッチスイッチ３１と、使用者が手動にて右バーナ３０の加熱力の増減（加熱力調節）を行うための右側バーナ加熱力指令部を構成する加熱力調整用タッチスイッチ３２と、右バーナ３０の加熱力を表示する加熱力表示部１３０を構成する加熱力表示ランプ（ＬＥＤ）Ｌｂ１，Ｌｂ２，Ｌｂ３，Ｌｂ４，Ｌｂ５，Ｌｂ６，Ｌｂ７が配設されている。
【００２５】
なお、発停指令タッチスイッチ２１，３１、加熱力調整用タッチスイッチ２２，３２、加熱力表示ランプＬａ１〜Ｌａ７，Ｌｂ１〜Ｌｂ７については後に詳述する。
【００２６】
また、加熱調理器（ガスコンロ）Ａ内には、左バーナ発停指令タッチスイッチ２１、右バーナ発停指令タッチスイッチ３１、および加熱力調整用タッチスイッチ２２、右バーナ加熱力指令部（加熱力調整用タッチスイッチ）３２の操作に基づいて、図７に示すように、ガス供給路８に備えるガスバルブ９の開閉および図示しないイグナイタの発停により左バーナ２０および右バーナ３０の点消火の制御を行い、また、ガス供給路８からの分岐路８ａに備える図示しないステッピングモータ駆動による流量制御弁１０の開度調節を行って左バーナ２０および右バーナ３０に供給されるガス量を調節して左バーナ２０および右バーナ３０の加熱力の制御を行う制御部（燃焼制御手段）１１を備えている。なお、制御部１１は、加熱部の加熱力を調節する加熱力調節手段として機能する。
【００２７】
また、加熱調理器（ガスコンロ）Ａはガスグリル部（図示せず）を備えており、ガスグリル部における調理に伴う排気はトッププレート５１の後方に設けたグリル排気口５６から排出されるように構成されている。
【００２８】
トッププレート５１上における左バーナ２０および右バーナ３０夫々の炎孔部２０ａ，２０ｂの周囲には、コンロバーナ（左バーナ、右バーナ）によって加熱される調理容器を載置する五徳５５が配置されている（図１）。
【００２９】
五徳５５は、調理容器を載置するための五徳爪を炎孔部の周囲に複数放射状に配置してあり、夫々の五徳爪の下端が円環状の五徳リング（不図示）で結合されて、トッププレート５１上に載置されている。
【００３０】
また、左バーナおよび右バーナは、調理容器の底面と接して、調理容器（被加熱物）の温度を検出する温度検出手段７２（図７）を備えている。
【００３１】
なお、加熱調理器（ガスコンロ）Ａは左バーナ２０および右バーナ３０の２つのコンロバーナを備えるものであるが、左バーナ２０および右バーナ３０ともに本発明の実施形態としては同様の形態を有するものであるので、以下、左バーナ２０および左バーナ２０用の発停指令タッチスイッチ２１、加熱力調整用タッチスイッチ２２、加熱力表示ランプＬａ１〜Ｌａ７について詳しく説明する。
＜特徴的構成＞
【００３２】
この実施形態にかかる加熱調理器（ガスコンロ）Ａにおいては、制御部（燃焼制御手段）１１（図７参照）が、手動にて操作される発停指令タッチスイッチ（左バーナ加熱発停指令部）２１と、使用者による発停指令タッチスイッチ２１の操作によって発停指令タッチスイッチ２１から出力される指令に基づいて左バーナ２０の点消火の制御を行うとともに、左バーナ加熱力指令部２２から出力される指令に基づいて左バーナ２０の加熱力の制御を行うように構成されている。
【００３３】
この左バーナ２０の点消火の制御および加熱力の制御は、右バーナ３０の点消火の制御および加熱力の制御と同様であって、本発明の特徴的な構成にかかるものである。以下、代表して、左バーナ２０の点消火の制御および加熱力の制御について詳しく説明する。
【００３４】
この実施形態にかかる加熱調理器（ガスコンロＡ）において、左バーナ２０の加熱力（火力）は、複数段階（本実施形態では７段）に調節（増減）することができるように構成されている。
そして、左バーナ２０の加熱力増減を指令する左バーナ加熱力指令部２２は、機器本体５０の上面を覆うトッププレート上に配置された加熱力調整用タッチスイッチ（静電スイッチ）２２から構成されている。
【００３５】
また、加熱力調整用タッチスイッチ２２の周囲には、左バーナ（加熱部）２０の加熱力を表示する加熱力表示部として、ＬＥＤからなる合計７個の加熱力表示ランプＬａ１〜Ｌａ７が表示体として配設されている（図１，３など参照）。ただし。表示体はＬＥＤに限定されるものではなく、液晶など他の種々の表示体を用いることが可能である。
【００３６】
なお、図２に示すように、この実施形態では、視認性を向上させるため、加熱力表示ランプＬａ１〜Ｌａ７は、それぞれ、遮蔽板５７を隔てて配設されている（図２参照）。
【００３７】
また、加熱力調整用タッチスイッチ２２の前方のトッププレート５１上には、左バーナ（加熱部）２０における加熱の開始および停止を指令する加熱発停指令部としての発停指令タッチスイッチ（静電スイッチ）２１が配置されている（図１、図３）。この左バーナの発停指令タッチスイッチ２１は、加熱力調整用タッチスイッチ（左バーナ加熱力指令部）２２の近傍に配置されている。そして、この左バーナの発停指令タッチスイッチ２１をタッチ操作することで、左バーナ（加熱部）２０における加熱の発停、つまり、制御部１１による左バーナ２０の点消火の制御が行われるように構成されている。
【００３８】
なお、加熱力調整用タッチスイッチ２２や発停指令タッチスイッチ２１は静電スイッチに限定されるものではなく、抵抗膜方式や超音波表面弾性波方式、赤外線走査方式、電磁誘導方式、静電容量方式などの他の方式による種々のスイッチを用いることが可能である。
【００３９】
なお、左バーナ（加熱部）２０における加熱の開始と停止、および、加熱力の増減は、制御部１１（図７）によって制御される。そして、制御部１１が、加熱力調整用タッチスイッチ（左バーナ加熱力指令部）２２にタッチした点を始点としてこの始点から複数の表示体（ＬＥＤからなる加熱力表示ランプ）Ｌａ１〜Ｌａ７のうちの一の表示体に向かうフリック操作によって、左バーナ（加熱部）２０の加熱力を、一の表示体に対応する段階の加熱力になるように増減する。すなわち、一の表示体により表示される段階の加熱力となるように加熱力を増減する。
なお、フリック操作とは、タッチパネル上に置いた指を、所定の方向に素早く動かしたり弾いたりする操作をいう。
【００４０】
なお、本願の図面（図１，３〜６および図８）においては、加熱力表示部としての、ＬＥＤからなる合計７個の加熱力表示ランプ（表示体）Ｌａ１〜Ｌａ７のうち、黒く塗りつぶした加熱力表示ランプは点灯している加熱力表示ランプであることを示し、塗りつぶされていない白抜きの加熱力表示ランプは点灯していない加熱力表示ランプであることを示している。
【００４１】
例えば、図３に示す例では、加熱力表示ランプＬａ７に対応する段階の加熱力、つまり、加熱力７になるように加熱部（左バーナ）２０の加熱力が制御されているが、その状態において、加熱力調整用タッチスイッチ（左バーナ加熱力指令部）２２上を白矢印（この白矢印はフリック操作を説明するための仮想の矢印であり、加熱力調整用タッチスイッチ上に表示されているものではない）の起点にタッチした後に、所定の加熱力（例えば、加熱力５）に対応する加熱力表示ランプＬａ５に向かって、つまり、白矢印に沿って加熱力調整用タッチスイッチ（左バーナ加熱力指令部）２２上を加熱力表示ランプＬａ５に向かってフリック操作すると、加熱力７に制御されていた加熱力が、加熱力表示ランプＬａ５に対応する段階の加熱力、つまり、加熱力５になるように加熱部（左バーナ）２０の加熱力が制御（変更）される。
【００４２】
つまり、上述のような構成により、加熱力調節用タッチスイッチ、すなわち、加熱力調整用タッチスイッチ（左バーナ加熱力指令部）２２にタッチした点を始点としてこの始点から複数の加熱力表示ランプＬａ１〜Ｌａ７のうちの一の加熱力表示ランプに向かうフリック操作によって、加熱部（左バーナ）２０の加熱力を一の加熱力表示ランプに対応する加熱力に制御することができる。
【００４３】
したがって、加熱力増加用のスイッチと加熱力減少用のスイッチとをそれぞれ別個に設けることを必要とせずに、変更前の加熱力と変更後の加熱力との差（段数差）が大きい場合にも、少ない操作回数で意図する加熱力に設定することが可能な、使い勝手のよい加熱調理器を実現することができる。例えば、加熱力を増加した直後に、加熱力を減少させる加熱力調節を行う場合の煩わしさを抑制して、使用感を向上させることができる。
【００４４】
また、加熱力増加用のスイッチと加熱力減少用のスイッチの両方を別個に設けることを必要としないため、加熱力増加用のスイッチと加熱力減少用のスイッチを間違えて操作してしまう誤操作のおそれがなく、信頼性の高い加熱調理器を提供することが可能になる。
【００４５】
次に、このようなフリック操作による様々な形態の加熱力変更について、以下に例を挙げて説明する。
【００４６】
まず、図４（ａ）に示す加熱部２０の加熱力が、加熱力表示ランプＬａ４に対応する加熱力、つまり、加熱力４である状態から、加熱力調整用タッチスイッチ（左バーナ加熱力指令部）２２上を加熱力表示ランプＬａ７に向かってフリック操作することで、制御部１１によって加熱部２０の加熱力が加熱力表示ランプＬａ７に対応する加熱力である加熱力７に変更制御され、図４（ｂ）に示す状態となる。
【００４７】
また、図５（ａ）に示す加熱部２０の加熱力が、加熱力表示ランプＬａ５に対応する加熱力である加熱力５の状態から、加熱力調整用タッチスイッチ（左バーナ加熱力指令部）２２上を加熱力表示ランプＬａ３に向かってフリック操作することで、制御部１１によって加熱部２０の加熱力が加熱力表示ランプＬａ３に対応する加熱力である加熱力３に変更制御され、図５（ｂ）に示す状態となる。
【００４８】
なお、この実施形態では、加熱力調節用タッチスイッチ（左バーナ加熱力指令部）２２にタッチした時点を起点として所定の時間（例えば５秒）以内に、タッチした点を始点としてこの始点から複数の加熱力表示ランプ（表示体）のうちのいずれの加熱力表示ランプに向かうフリック操作も検出されなかったとき、制御部１１が、加熱部の加熱力を起点における加熱力に維持させるように構成されている。このように構成することで、使用者が不用意に加熱力調節用タッチスイッチ（左バーナ加熱力指令部）２２にタッチした場合に、使用者が意図しない加熱力の増減が防止できる。
【００４９】
これに対し、加熱力調節用タッチスイッチ（左バーナ加熱力指令部）２２にタッチした時点を起点として所定の時間（例えば５秒）以内に、タッチした点を始点としてこの始点から複数の加熱力表示ランプＬａ１〜Ｌａ７のうちのいずれの加熱力表示ランプに向かうフリック操作も検出されなかったとき、制御部１１が、起点における加熱力より少ない加熱力に加熱部の加熱力を減少させるように構成してもよい。
【００５０】
具体的には、例えば、図６（ａ）に示すように、加熱部の加熱力が加熱力表示ランプＬａ６に対応する加熱力である加熱力６の状態で、加熱力調整用タッチスイッチ（左バーナ加熱力指令部）２２にタッチした後いずれの加熱力表示ランプ（表示体）に向かうフリック操作も検出されなかったとき、つまり、ただ単に加熱力調整用タッチスイッチ（左バーナ加熱力指令部）２２にタッチしただけのときには、加熱部の加熱力を減少させて、図６（ｂ）に示すように、加熱部の加熱力が加熱力表示ランプＬａ５に対応する加熱力である加熱力５の状態とされる。
【００５１】
さらに、図６（ｂ）に示すように、加熱部の加熱力が加熱力表示ランプＬａ５に対応する加熱力である加熱力５の状態で、加熱力調整用タッチスイッチ（左バーナ加熱力指令部）２２にタッチした後いずれの加熱力表示ランプ（表示体）に向かうフリック操作も検出されなかったとき、つまり、ただ単に加熱力調整用タッチスイッチ（左バーナ加熱力指令部）２２にタッチしただけのときには、図６（ｃ）に示すように、加熱部の加熱力が加熱力表示ランプＬａ４に対応する加熱力である加熱力４の状態とされる。
【００５２】
このように構成した場合、使用者が不用意に加熱力調節用タッチスイッチ（左バーナ加熱力指令部）２２にタッチした場合に、加熱力が減少するので安全性を確保することができる。
【００５３】
また、この実施形態にかかる加熱調理器は、加熱部２０における加熱の開始後、制御部１１が、加熱力調節用タッチスイッチ（左バーナ加熱力指令部）２２にタッチした点を始点としてこの始点から発停指令用タッチスイッチ（加熱発停指令部）２１に向かうフリック操作によって、加熱部２０における加熱を停止するように構成されている。
【００５４】
つまり、任意の加熱力で加熱が行われているときに、加熱力調整用タッチスイッチ（左バーナ加熱力指令部）２２にタッチした後に、発停指令用タッチスイッチ（加熱発停指令部）２１に向かってフリック操作することにより、加熱部における加熱を停止することができるように構成されている。そして、このように構成した場合、使用者が、複数種類の操作から加熱部における加熱の停止を行う操作を選択できるので、安全で使い勝手のよい加熱調理器を得ることができる。
【００５５】
また、発停指令用タッチスイッチ（加熱発停指令部）２１にタッチした点を始点として、この始点から特定のパターンの軌跡を伴うフリック操作が発停指令用タッチスイッチ２１上で行われた場合に、制御部１１が、加熱部２０における加熱を開始または停止させるように構成することも可能である。
【００５６】
具体的には、例えば、図８に示すように、発停指令用タッチスイッチ２１の面積を、図３に示す上記実施形態における発停指令用タッチスイッチ２１の面積より広く構成しておき、発停指令用タッチスイッチ２１にタッチした点を始点としてこの始点から特定のパターン（例えば平仮名の「の」）の軌跡を伴うフリック操作を行う、つまり、発停指令用タッチスイッチ２１上に平仮名の「の」字を描くことで、左バーナの点消火が行われるように構成してもよい。
【００５７】
このように構成した場合、発停指令用タッチスイッチ２１にタッチした点を始点として、この始点から特定のパターンの軌跡を伴うフリック操作によって、加熱部２０における加熱を開始または停止するので、誤操作による加熱の開始や停止が実行されてしまうことを防止して、信頼性を向上させることができる。
【００５８】
なお、本発明は、上記実施形態に限定されるものではなく、本発明の範囲内において種々の変形を加えることが可能である。
【符号の説明】
【００５９】
Ａ        加熱調理器（ガスコンロ（ガステーブルコンロ））
８        ガス供給路
８ａ      分岐路
９        ガスバルブ
１０      流量制御弁
１１      制御部（燃焼制御手段）
２０      左バーナ（加熱部）
２０ａ    左バーナの炎孔部
２１      発停指令タッチスイッチ（左バーナ加熱発停指令部）
２２      加熱力調節用タッチスイッチ（左バーナ加熱力指令部）
３０      右バーナ（加熱部）
３０ａ    右バーナの炎孔部
３１      発停指令タッチスイッチ（右バーナ加熱発停指令部）
３２      加熱力調節用タッチスイッチ（右バーナ加熱力指令部）
５０      機器本体
５１      トッププレート
５５      五徳
５６      グリル排気口
５７      遮蔽板
７２      温度検出手段
１２０    左バーナの加熱力表示部
１３０    右バーナの加熱力表示部
Ｌａ１，Ｌａ２，Ｌａ３，Ｌａ４，Ｌａ５，Ｌａ６，Ｌａ７    加熱力表示ランプ（表示体）
Ｌｂ１，Ｌｂ２，Ｌｂ３，Ｌｂ４，Ｌｂ５，Ｌｂ６，Ｌｂ７    加熱力表示ランプ（表示体）
【図１】
0006588808.tif 000002
【図２】
0006588808.tif 000003
【図３】
0006588808.tif 000004
【図４】
0006588808.tif 000005
【図５】
0006588808.tif 000006
【図６】
0006588808.tif 000007
【図７】
0006588808.tif 000008
【図８】
0006588808.tif 000009